(57)【要約】【課題】時計デザインを公開して販売前にサイト上でマーケットサーベイすることにより販売リスクを軽減し、かつ利用者の個々のニーズに応える。【解決手段】本発明の時計の販売促進装置（サーバ１）は、ユーザが携帯電話５を操作することによって生成される配信要求に基づき、携帯電話５に対して複数の時計デザインを配信する時計データ配信手段１２と、配信された時計デザインのうち、ユーザによるダウンロード要求をカウントし、もしくは、それぞれの時計デザインに対して人気投票を促し、ユーザが携帯電話５を操作することにより入力される人気投票を集計してその時計に対する人気度を分析して商品化決定に反映させる人気度分析手段１３で構成される。【選択図】      図１
2004199589.tif 000002
【特許請求の範囲】
【請求項１】
デザインされた時計をユーザの携帯電話の待ち受け画面として配信し、閲覧したユーザの反応をみて商品化に反映させる、時計の販売促進方法であって、
ユーザが前記携帯電話を操作することによって生成される配信要求に基づき、前記携帯電話に対して複数の時計デザインを配信し、前記配信された時計デザインのうち、ユーザによるダウンロード要求をカウントしてその時計に対する人気度を分析して商品化決定に反映させること、
を特徴とする時計の販売促進方法。
【請求項２】
デザインされた時計をユーザの携帯電話の待ち受け画面として配信し、閲覧したユーザの反応をみて商品化に反映させる、時計の販売促進方法であって、
ユーザが前記携帯電話を操作することによって生成される配信要求に基づき、前記携帯電話に対して複数の時計デザインを配信してそれぞれの時計デザインに対して人気投票を促し、ユーザが前記携帯電話を操作することにより入力される人気投票を集計してその時計に対する人気度を分析し、商品化決定に反映させること、
を特徴とする時計の販売促進方法。
【請求項３】
前記ダウンロード要求、もしくは人気投票の入力時、個人情報に基づくユーザの嗜好情報を把握し、当該ユーザに対し、前記把握された嗜好情報に沿って商品化される実時計の通知を行うことを特徴とする請求項１または２に記載の時計の販売促進方法。
【請求項４】
ユーザが前記デザインされた時計の購入意志について前記携帯電話を介して発したときに、認証を得た後、前記デザインされた時計を時計として動かすための時計データを配信すること、
を特徴とする請求項１または２に記載の時計の販売促進方法。
【請求項５】
デザインされた時計をユーザの携帯電話の待ち受け画面として配信し、閲覧したユーザの反応をみて商品化に反映させる、時計の販売促進装置であって、
ユーザが前記携帯電話を操作することによって生成される配信要求に基づき、前記携帯電話に対して複数の時計デザインを配信する時計データ配信手段と、
前記配信された時計デザインのうち、ユーザによるダウンロード要求をカウントし、もしくは、それぞれの時計デザインに対して人気投票を促し、ユーザが前記携帯電話を操作することにより入力される人気投票を集計して、その時計に対する人気度を分析して商品化決定に反映させる人気度分析手段と、
を備えたことを特徴とする時計の販売促進装置。
【発明の詳細な説明】
【０００１】
【発明の属する技術分野】
本発明は、デザインされた時計をユーザの携帯電話の待ち受け画面として配信し、閲覧したユーザの反応をみて商品化に反映させる、時計の販売促進方法並びに装置に関する。
【０００２】
【従来の技術】
ユーザがカタログから好みの商品を選択することによりインターネットや双方向テレビを介して注文販売する通信販売方法が知られている。
例えば、時計の通信販売では、あらかじめメーカサイドで用意した数種類の文字板デザインの中から好みのデザインを指定する方法で行われるもので、ユーザに若干の選択肢はあっても、文字盤の指定や文字の印刷程度ではオリジナル時計を製作できるといった満足感が得られるまでには至っていない。
【０００３】
また、ユーザの好みに対応したオリジナルデザイン時計を容易に作成することを目的に、メーカが、ユーザに提供可能な時計構成を示す部品ディジタル情報と、それを組み合わせるためのデザインソフトを情報通信ネットワーク上でユーザに提供し、ユーザが、メーカから供給された部品ディジタル情報とデザインソフトを使用して作成した時計オリジナル情報を受け入れ、メーカがユーザから受け取ったオリジナルデザイン情報に基づいて時計を製作しユーザに提供する時計デザインシステムもある（特許文献１参照）。
【０００４】
【特許文献１】
特開２０００−２０５８９号公報
【０００５】
【発明が解決しようとする課題】
しかしながら上記した従来技術によれば、ユーザは、自身でパソコン画面を使用してオリジナルデザインの製作を行うことはできるが、供給される部品ディジタル情報、デザインソフトともに時計メーカ製であり、時計メーカの一方的な判断で押し付けられるデザインが多かった。
一方、近年、携帯電話が普及し、配信されたデザイン時計を携帯電話の待ち受け画面として使用する例が多々みられるようになった。
【０００６】
本発明は、上記背景に鑑みてなされたものであり、新モデルの時計デザインを公開して販売前にサイト上でマーケットサーベイすることにより販売リスクを軽減し、かつ、利用者の個々のニーズに応えられる、時計の販売促進方法ならびに装置を提供することを目的とする。
また、携帯電話ユーザに対してユーザ嗜好に基づいたオリジナル待ち受け時計をデザインする環境を提供することにより、将来購入が予想される携帯電話ユーザを囲い込み、販売促進を行う、時計の販売促進方法ならびに装置を提供することも目的とする。
【０００７】
【課題を解決するための手段】
上記した課題を解決するために本発明は、デザインされた時計をユーザの携帯電話の待ち受け画面として配信し、閲覧したユーザの反応をみて商品化に反映させる、時計の販売促進方法であって、ユーザが前記携帯電話を操作することによって生成される配信要求に基づき、前記携帯電話に対して複数の時計デザインを配信し、前記配信された時計デザインのうち、ユーザによるダウンロード要求をカウントしてその時計に対する人気度を分析して商品化決定に反映させること、を特徴とする。
【０００８】
本発明によれば、ユーザの携帯電話に配信された複数の時計データのうち、ユーザによるダウンロード要求をカウントしてその時計に対する人気度を分析して商品化決定に反映させることで、実時計の商品化前にユーザの意見を取り入れることができ、このことによって販売リスクが軽減され、かつ、利用者の個々のニーズに応えられる。
ここで、「時計デザイン」とは、ケース、針、文字盤の色、カレンダの有無、文字盤、ベルトの素材、色等のデサインが反映された時計データのことをいう。
【０００９】
上記課題を解決するために本発明は、デザインされた時計をユーザの携帯電話の待ち受け画面として配信し、閲覧したユーザの反応をみて商品化に反映させる、時計の販売促進方法であって、ユーザが前記携帯電話を操作することによって生成される配信要求に基づき、前記携帯電話に対して複数の時計デザインを配信してそれぞれの時計デザインに対して人気投票を促し、ユーザが前記携帯電話を操作することにより入力される人気投票を集計してその時計に対する人気度を分析し、商品化決定に反映させること、を特徴とする。
【００１０】
本発明によれば、ユーザの携帯電話に配信された複数の時計データのそれぞれに対して人気投票を促し、ユーザによる人気投票を集計してその時計に対する人気度を分析し、商品化決定に反映させることで、実時計の商品化前にユーザの意見を取り入れることができ、このことによって販売リスクが軽減され、かつ、利用者の個々のニーズに応えられる。
【００１１】
また、本発明において、前記ダウンロード要求、もしくは人気投票の入力時、個人情報に基づくユーザの嗜好情報を把握し、当該ユーザに対し、前記把握された嗜好情報に沿って商品化される実時計の通知を行うことを特徴とする。
【００１２】
本発明によれば、ダウンロード要求、もしくは人気投票に基づいてユーザの嗜好情報を把握し、把握された嗜好情報に沿ってユーザに商品化される実時計の通知を行うことで、将来購入が予想されるの携帯電話ユーザの囲い込みが可能となり、人気モデルの販売確保に繋げることができる。
【００１３】
また、本発明において、ユーザが前記デザインされた時計の購入意志について前記携帯電話を介して発したときに、認証を得た後、前記デザインされた時計を時計として動かすための時計データを配信すること、を特徴とする。
【００１４】
本発明によれば、ユーザが購入を希望したときにデザインされたオリジナル待ち受け時計を時計として動かすための時計データを配信することで、ユーザはバーチャルな世界で作った時計を実時計商品化前に評価でき、将来購入が予想されるの携帯電話ユーザの囲い込みが可能となり、販売促進がはかれる。
【００１５】
上記した課題を解決するために本発明は、デザインされた時計をユーザの携帯電話の待ち受け画面として配信し、閲覧したユーザの反応をみて商品化に反映させる、時計の販売促進装置であって、ユーザが前記携帯電話を操作することによって生成される配信要求に基づき、前記携帯電話に対して複数の時計デザインを配信する時計データ配信手段と、前記配信された時計デザインのうち、ユーザによるダウンロード要求をカウントし、もしくは、それぞれの時計デザインに対して人気投票を促し、ユーザが前記携帯電話を操作することにより入力される人気投票を集計してその時計に対する人気度を分析して商品化決定に反映させる人気度分析手段と、を備えたことを特徴とする。
【００１６】
本発明によれば、人気度分析手段が、ユーザの携帯電話に配信された複数の時計データのうち、ユーザによるダウンロード要求をカウントしてその時計に対する人気度を分析して商品化決定に反映させることで、実時計の商品化前にユーザの意見を取り入れることができ、このことによって販売リスクが軽減され利用者の個々のニーズに応えられる時計の販売促進装置を提供することができる。
【００１７】
【発明の実施の形態】
以下、図面を使用して本発明実施形態について詳細に説明する。図１は、本発明における時計の販売促進装置の内部構成を機能展開して示したブロック図である。
本発明における時計の販売促進装置は、サイト展開されるサーバ１上に実装され、通信網２を介し、時計デザイナが使用するデザイン端末３、およびＩＰ（Internet Protocol）網等の通信網４を介して利用者が所持するブラウザ内蔵の携帯電話４（ｉモード（登録商標）等）が接続される。なお、携帯電話４の中にはカメラ付き携帯電話も含まれ、この場合、デザイナにより設計された時計デザインを利用する他に、撮影画像をアップロードすることでユーザオリジナル時計のデザインも可能である。詳細は後述する。
【００１８】
サーバ１は、時計デザインＤＢ１１、時計デザイン配信手段１２、人気度分析手段１３、個人情報ＤＢ１４、商品化通知手段１５、時計データ配信手段１６で構成される。
デザイン時計ＤＢ１１には、デザイナがデザイン端末３を操作することにより生成される時計デザイン情報がアップロードされ多数格納されている。時計デザインＤＢ１１に格納された多数の時計デザイン情報は、時計デザイン配信手段１２が、要求のあったユーザが所持する携帯電話５にＩＰ網４経由でダウンロードする。
【００１９】
一方、人気度分析手段１３は、時計デザイン配信手段１２によって配信された複数の時計デザインのうち、ユーザによるダウンロード要求をカウントし、もしくは、それぞれの時計データに対して人気投票を促し、ユーザが携帯電話５を操作することにより入力される人気投票を集計してその時計に対する人気度を分析して商品化決定に反映させる機能を持つ。
なお、個人情報ＤＢには、ユーザによるダウンロード要求、もしくは人気投票の時に別途入力される個人情報が格納され、商品化通知部１５によって参照されるユーザの嗜好情報を把握するために用いられる。商品化通知部１５は、ユーザに対してメール等により、把握された嗜好情報に沿って商品化された実時計の通知を行う機能を持つ。また、時計データ配信手段１６は、ユーザがデザインされた時計の購入意志について携帯電話５を操作することにより発したときに、認証を得た後、デザインされた時計を時計として動かすための時計データを配信する機能を持つ。
【００２０】
図２〜図４は、図１に示す時計の販売促進装置の動作を説明するために引用したフローチャートである。図２、図３は基本動作の流れを、図４は、基本動作中における人気度分析処理の具体的な流れを示す。
以下、図２〜図４に示すフローチャートを参照しながら図１に示す本発明実施形態の動作について詳細に説明する。
【００２１】
まず、サイト運営者がサーバ１を立ち上げることにより、デザイン端末３により設計された時計デザインは、通信網２を介してアップロードされ、時計デザインＤＢ１１に格納される（図２、Ｓ２１）。なお、ここで通信網２は、ＬＡＮ（Local Area Network）とし、デザイン端末３とはプライベートなネットワークを介して接続されているものとする。勿論、利用者が所持する携帯電話５同様、ＩＰ接続されていてもよい。
一方、利用者サイドでは、携帯電話５を操作することによりサーバ１にログインし（Ｓ２２）、これをＩＰ網４経由で受信したサーバ１は、時計デザイン配信手段１２によりアップロードされた時計デザインの一覧を表示のために出力する（Ｓ２３）。
【００２２】
ユーザは、これを携帯電話５の表示画面を介して必要に応じてプレビュー等により時計デザインを確認し、ランダムに選択することにより（Ｓ２４）、同じく時計デザイン配信手段１２から選択された時計デザインの配信を受ける（Ｓ２５）。ここで、時計デザインとは、ケース、針、文字盤の色、カレンダの有無、文字盤、ベルトの素材、色等が反映された時計データのことをいう。
なお、上記した時計デザインの配信を受けたとき、サーバ１の人気度分析手段１３では、図４にフローチャートで示す人気度分析が行われる。ここでは、時計デザインの配信を受ける前に時計デザインの一覧が表示される形態について示したが、ここで示す時計デザインの一覧表示は必須ではなく選択事項である。
【００２３】
人気度分析手段１３による人気度の分析は、ユーザによるダウンロード（ＤＬ）要求のカウント、またはユーザによる人気投票により行われる（図４、Ｓ２６１）。
ＤＬ要求をカウントして人気度を分析する場合は、ユーザが携帯電話５を操作して気に入った時計デザインのＤＬ要求を発行する毎に＋１更新され（Ｓ２６２）、適当な時期に比較することで集計を行ない、スコアの高い順に人気度を判定するものとする（Ｓ２６３）。そしてその人気度をサーバ１の表示装置（図示せず）に出力することでサイト運営者もしくはサイト運営者によって通知されるメーカによる実時計の商品化決定に反映される（Ｓ２６４）。
一方、投票をカウントして人気度分析する場合は、時計データ配信手段１２を介してユーザに配信した時計デザインのそれぞれに対する人気投票を促し、ユーザが携帯電話５を操作することにより入力される人気投票を受信して集計し（Ｓ２６５）、先のＤＬ要求の場合と同様スコアの高い順に人気度を判定する（Ｓ２６３）ものとする。そしてその人気度をサーバ１の表示装置（図示せず）に出力することで上記同様、実際販売される時計の商品化決定に反映される（Ｓ２６４）。
【００２４】
上記した人気度分析処理の後、ユーザによる時計デザインの購入判断が行われる（図２、Ｓ２７）。ユーザがその人気デザインの購入のためにそのユーザが所持する携帯電話５を操作した場合、サーバ１は、そのユーザに対して個人情報の入力を促し、そのガイダンスに従ってユーザにより入力される、例えば、氏名、住所、メールアドレス等の情報を個人情報ＤＢ１４に格納する。あるいは自動的にそのユーザが登録済みの会員ＩＤ等を取得し、そのユーザが持つ嗜好を把握する（Ｓ２８）。ここでユーザの嗜好とは、「ユーザＡは、大き目の黒の文字盤に黒皮製ベルトが好み」等々の情報をいう。
次に、時計データ配信手段１６は、ユーザ要求に応じてそのユーザに時計データの配信を行ない（Ｓ２９）、このことにより、ユーザは、所持する携帯端末５の待ち受け画面に気に入った時計デザインを表示し、待ち受け画面としての時計を作動させることができる。なお、ここで、時計データとは、時計デザインを時計として動作させるためのデータのことをいう。
【００２５】
一方、先の人気度分析の結果を確認したサイト運営者、あるいはサイト運営者から報告を受けたメーカは、人気モデルの商品化の決定を行う（図３、Ｓ３０）。商品化が決定された場合、サーバ管理者は、キーボード等の入力装置（図示せず）を介して商品化通知手段１５を起動し、商品化通知手段１５は、先のユーザの嗜好を踏まえてユーザニーズに合致した実時計の商品化通知をメール配信する（Ｓ３１）。商品化の通知を受けたユーザは、実時計モデルの購入判断を行ない（Ｓ３２）、必要に応じて電子決済を行う（Ｓ３３）。
このことにより、商品化モデル（実時計）を販売するうえでの携帯電話ユーザの囲い込みが実現でき、メーカは、商品化モデル発売前にマーケットサーベイが可能となり、また、ユーザは、待ち受け時計を自由にデザインして商品化モデル購入前の評価が可能になる。
【００２６】
以上説明のように本発明は、携帯電話ユーザに対してユーザ嗜好に基づいたオリジナル待ち受け時計をデザインする環境を提供することにより、将来のリアルなユーザを囲い込み販売促進を行ない、また、新モデルのデザインを公開してサイト上でマーケットサーベイすることにより販売リスクを軽減し、利用者の個々のニーズに応えられる時計の販売促進方法ならびに装置を提供するものである。
なお、携帯電話５がカメラ付きの場合は、その撮影画像をアップロードすることでユーザオリジナル時計のデザインが可能である。このことにより、個々にデザインした時計を文字盤に印刷し、商品化モデルとしての販売も可能である。また、アンティーク時計についてもその時計デザインを公開することで特殊なユーザ層の囲い込みも可能になる。
【００２７】
また、図１に示す時計デザイン配信手段１２、人気度分析手段１３、個人情報ＤＢ１４、商品化通知手段１５、時計データ配信手段１６のそれぞれで実行される手順をコンピュータ読み取り可能な記録媒体に記録し、この記録媒体に記録されたプログラムをコンピュータシステムに読み込ませ、実行することにより本発明における時計の販売促進装置が実現されるものとする。ここでいうコンピュータシステムとは、ＯＳや周辺機器等のハードウアを含むものである。
【００２８】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００２９】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００３０】
以上、この発明の実施形態につき、図面を参照して詳述してきたが、具体的な構成はこの実施形態に限られるものではなく、この発明の要旨を逸脱しない範囲の設計等も含まれる。
【００３１】
【発明の効果】
以上説明のように本発明によれば、ユーザの嗜好に応じてオリジナル待ち受け時計をデザインすることができ、商品化モデルを販売するうえでの携帯電話ユーザの囲い込みが可能になる。
また、本発明によれば実際の時計を商品化する前にマーケットサーベイが可能となり、販売リスクが軽減されると共に、ユーザ個々のニーズに応じた時計の販売が可能になる。
【図面の簡単な説明】
【図１】本発明における時計の販売促進装置の内部構成を機能展開して示したブロック図である。
【図２】本発明実施形態の動作を説明するために引用したフローチャートである。
【図３】本発明実施形態の動作を説明するために引用したフローチャートである。
【図４】本発明実施形態の動作を説明するために引用したフローチャートである。
【符号の説明】
１…サーバ（販売促進装置）、２…通信網、３…デザイン端末、４…ＩＰ網、５…携帯電話、１１…時計デザインＤＢ、１２…時計デザイン配信手段、１３…人気度分析手段、１４…個人情報ＤＢ、１５…商品化通知手段、１６…時計データ配信手段
【図１】
2004199589.tif 000003
【図２】
2004199589.tif 000004
【図３】
2004199589.tif 000005
【図４】
2004199589.tif 000006